(57)【要約】【課題】照視野の均一性を確保することができる放射線撮像装置を提供することを目的とする。【解決手段】Ｘ線強度分布（照視野内の位置とＸ線強度との相関関係）を予め求め、設定された照視野の均一性および上述の分布に基づいて、上述の設定された均一性に該当するＸ線強度に応じた照視野内の位置に該当する照視野の操作量ｄを演算する。その操作量ｄで操作することで照視野を制御する。その結果、目的の均一性を設定すれば、照視野の操作量ｄが演算され、さらにその操作量ｄで操作することで照視野を制御するので、目的の均一性を有した照視野をＸ線管２から照射することができ、撮像の目的に合わせて照視野の均一性を確保することができる。【選択図】図４
2008104704.tif 000002
【特許請求の範囲】
【請求項１】
被検体に向けて放射線を照射する放射線照射手段を備え、前記被検体を透過した放射線を検出し、その検出された放射線に基づいて放射線画像を得ることで放射線撮像を行う放射線撮像装置であって、前記放射線照射手段から照射される放射線の照視野を操作する照視野操作手段と、放射線強度分布として表される照視野内の位置と放射線強度との相関関係を予め記憶した相関関係記憶手段と、設定された照視野の均一性および前記相関関係記憶手段に予め記憶された相関関係に基づいて、前記設定された均一性に該当する放射線強度に応じた照視野内の位置に該当する照視野の操作量を演算する操作量演算手段と、その操作量演算手段で演算された操作量で前記照視野操作手段を操作することで照視野を制御する照視野制御手段とを備えることを特徴とする放射線撮像装置。
【請求項２】
請求項１に記載の放射線撮像装置において、前記設定された均一性を入力する入力手段を備えることを特徴とする放射線撮像装置。
【請求項３】
請求項１に記載の放射線撮像装置において、前記装置の外部にある外部装置との間で転送する転送手段を備え、その転送手段から前記設定された均一性を転送することを特徴とする放射線撮像装置。
【請求項４】
請求項１から請求項３のいずれかに記載の放射線撮像装置において、前記放射線強度分布について、放射線強度が照視野の中心で対称に分布する場合には、その中心から設定すべき放射線強度に相当する箇所までの距離を前記操作量演算手段は演算するとともに、演算されたその距離に該当する前記操作量を演算することで、前記設定された均一性に該当する前記設定すべき放射線強度に基づいて、操作量を演算することを特徴とする放射線撮像装置。
【請求項５】
請求項１から請求項３のいずれかに記載の放射線撮像装置において、前記放射線強度分布について、放射線強度が照視野の中心で非対称に分布する場合には、その中心から設定すべき放射線強度に相当する箇所までの距離が複数存在し、複数存在する距離の中からもっとも短い距離を選択して前記操作量演算手段は演算するとともに、演算されたその距離に該当する前記操作量を演算することで、前記設定された均一性に該当する前記設定すべき放射線強度に基づいて、操作量を演算することを特徴とする放射線撮像装置。
【発明の詳細な説明】
【技術分野】
【０００１】
この発明は、放射線撮像を行う放射線撮像装置に係り、特に、放射線照射手段から照射される放射線の照視野を制御する技術に関する。
【背景技術】
【０００２】
放射線撮像装置として、Ｘ線透視撮影装置を例に採って説明する。近年、Ｘ線透視撮影装置におけるＸ線撮影では、骨によるＸ線の吸収度に基づいて骨に含有されているＣａ（カルシウム）量を測定する骨塩定量を行うケースが増えてきている。骨塩定量を行うには、Ｘ線管（放射線照射手段）から照射されて被検体Ｍを透過したＸ線を、Ｘ線フィルムやフラットパネル型Ｘ線検出器（ＦＰＤ）などに代表されるＸ線検出器で検出して、検出されたＸ線に基づいて骨が映った画像を得る。かかる骨塩定量では照視野内で検出されるＸ線フィルムのフィルム濃度の均一性（照視野の均一性）が要求される。
【０００３】
一般的に、Ｘ線管では、図８に示すようにアノード（「ターゲット」とも呼ばれる）Ａ側のＸ線強度が照視野の中心Ｏに対して弱くなる。なお、図８中の符号Ｃはカソード（陰極）である。これは「ヒール効果」とも呼ばれるＸ線管固有の特性である（例えば、特許文献１、２参照）。照視野内のＸ線強度の均一性を規定する規格は、国際電気標準会議(IEC: International Electrotechnical Commission)、日本工業規格(JIS: Japanese Industrial Standard)ともに、照視野の中心（視野中心）を100%としたときに30%以上必要と規定されている。しかし、骨塩定量を行う場合には30%程度では不十分であり、80%あるいは90%の均一性が求められる。
【０００４】
そこで、均一性を十分に確保するためには、上述した特許文献１のようにフィルタによってヒール効果を補正する、あるいは上述した特許文献２のようにＸ線の線量を予め測定して、線量の強い部位ほど厚く形成された金属性のフィルタをＸ線管の照射口に設けることで一様なＸ線強度分布を得る。その他にも、図９に示すように、カソードＣから出射される電子ビームや、カソードＣとアノードＡとを結ぶ軸に平行な軸を管軸Ａｘとしたときに、管軸Ａｘに対して垂直な軸Ｂｘの方向を使用する、図１０に示すように、カソードＣのターゲットアングルθを大きくしたＸ線管を使用する、あるいは図１１（ｂ）に示すように、焦点・フィルム間距離（ＦＦＤ）を図１１（ａ）よりも大きく取ることで一様なＸ線強度分布を得る。
【０００５】
ヒール効果は上述したようにアノードＡ側にＸ線強度が照視野の中心Ｏに対して弱くなるので、図９中の管軸Ａｘの方向に対してＸ線強度分布の変化が大きく、図９中の軸Ｂｘの方向に対してＸ線強度分布の変化が小さい。そこで、図９に示すような撮影手技を行う。また、ヒール効果では、アノード（ターゲット）Ａ中で発生したＸ線がターゲット中を透過する間に減弱され、特にカソードＣ側や照視野の中心Ｏ側に出射されたＸ線よりもアノードＡ側に出射されたＸ線の方が透過する長さが長い分だけ減弱されて、アノードＡ側にＸ線強度が照視野の中心Ｏに対して弱くなる。そこで、図１０に示す構造のＸ線管を使用する。Ｘ線強度が90％、すなわち照視野の均一性が90%以上の部分を、図１１中の斜線のハッチングで示すと、図１１（ａ）のようにＦＦＤが小さいと90%以上の部分での照視野も限られるが、図１１（ｂ）のようにＦＦＤが大きいと90%以上の部分での照視野も大きくとることができる。
【特許文献１】特開２００５−１６９１１０号公報（第１−７頁、図３−５）
【特許文献２】特開２００４−２１４１３０号公報（第１−３頁、図１−３）
【発明の開示】
【発明が解決しようとする課題】
【０００６】
上述したように、骨塩定量を行うＸ線撮影では、フィルム濃度の均一性（照視野の均一性）を確保するためにＦＦＤを大きくとる必要がある。一方で、通常のＸ線撮影では、上述したように30%程度のフィルム濃度の均一性で十分である。しかし、骨塩定量を行うＸ線撮影を通常のＸ線撮影とオペレータ（技師）が勘違いして、短いＦＦＤで撮影した場合には、80%あるいは90%のフィルム濃度の均一性が確保できない。その結果、骨塩定量の測定結果が不正確となる。また、その場合には被検体に対して無駄な被曝を与えてしまう。
【０００７】
この発明は、このような事情に鑑みてなされたものであって、照視野の均一性を確保することができる放射線撮像装置を提供することを目的とする。
【課題を解決するための手段】
【０００８】
この発明は、このような目的を達成するために、次のような構成をとる。
すなわち、請求項１に記載の発明は、被検体に向けて放射線を照射する放射線照射手段を備え、前記被検体を透過した放射線を検出し、その検出された放射線に基づいて放射線画像を得ることで放射線撮像を行う放射線撮像装置であって、前記放射線照射手段から照射される放射線の照視野を操作する照視野操作手段と、放射線強度分布として表される照視野内の位置と放射線強度との相関関係を予め記憶した相関関係記憶手段と、設定された照視野の均一性および前記相関関係記憶手段に予め記憶された相関関係に基づいて、前記設定された均一性に該当する放射線強度に応じた照視野内の位置に該当する照視野の操作量を演算する操作量演算手段と、その操作量演算手段で演算された操作量で前記照視野操作手段を操作することで照視野を制御する照視野制御手段とを備えることを特徴とするものである。
【０００９】
［作用・効果］請求項１に記載の発明によれば、放射線強度分布として表される照視野内の位置と放射線強度との相関関係を相関関係記憶手段に予め記憶する。設定された照視野の均一性および上述の相関関係記憶手段に予め記憶された相関関係に基づいて、操作量演算手段は上述の設定された均一性に該当する放射線強度に応じた照視野内の位置に該当する照視野の操作量を演算する。その操作量演算手段で演算された操作量で照視野制御手段が操作することで照視野を制御する。その結果、目的の均一性を設定すれば、照視野の操作量が演算され、さらにその操作量で照視野制御手段が操作することで照視野を制御するので、目的の均一性を有した照視野を放射線照射手段から照射することができる。したがって、撮像の目的に合わせて照視野の均一性を確保することができる。
【００１０】
上述した発明では、設定された均一性を入力する入力手段を備えてもよいし（請求項２に記載の発明）、装置の外部にある外部装置との間で転送する転送手段を備え、転送手段から設定された均一性を転送してもよい（請求項３に記載の発明）。すなわち、請求項２に記載の発明の場合には、入力手段に均一性を入力設定して、請求項３に記載の発明の場合には、設定された均一性のデータを外部装置から転送手段を介してこの発明に係る放射線撮像装置に転送することで入力設定する。
【００１１】
また、上述したこれらの発明の一例は、放射線強度分布について、放射線強度が照視野の中心で対称に分布する場合には、その中心から設定すべき放射線強度に相当する箇所までの距離を操作量演算手段は演算するとともに、演算されたその距離に該当する操作量を演算することで、設定された均一性に該当する設定すべき放射線強度に基づいて、操作量を演算することである（請求項４に記載の発明）。
【００１２】
放射線強度が照視野の中心で対称に分布する場合には、逆方向も含めて、ある一方向では、その中心から設定すべき放射線強度に相当する箇所までの距離は２つ存在するが、両者は互いに同じ距離となる。その距離を操作量演算手段は演算するとともに、演算されたその距離に該当する操作量を演算するのが可能になる。このように操作量を演算することで、設定された均一性に該当する設定すべき放射線強度に基づいて、操作量を演算することになる。
【００１３】
また、上述したこれらの発明の他の一例は、放射線強度分布について、放射線強度が照視野の中心で非対称に分布する場合には、その中心から設定すべき放射線強度に相当する箇所までの距離が複数存在し、複数存在する距離の中からもっとも短い距離を選択して操作量演算手段は演算するとともに、演算されたその距離に該当する操作量を演算することで、設定された均一性に該当する設定すべき放射線強度に基づいて、操作量を演算することである（請求項５に記載の発明）。
【００１４】
放射線強度が照視野の中心で非対称に分布する場合には、逆方向も含めて、ある一方向では、その中心から設定すべき放射線強度に相当する箇所までの距離は２つ存在するが、両者は互いに異なる距離となる。したがって、複数存在する距離の中からもっとも短い距離を選択することで、その選択された距離における放射線強度よりも小さい放射線強度が設定されることはない。その距離を操作量演算手段は演算するとともに、演算されたその距離に該当する操作量を演算するのが可能になる。このように操作量を演算することで、設定された均一性に該当する設定すべき放射線強度に基づいて、操作量を演算することになる。
【発明の効果】
【００１５】
この発明に係る放射線撮像装置によれば、目的の均一性を設定すれば、照視野の操作量が演算され、さらにその操作量で照視野操作手段が操作することで照視野を制御するので、目的の均一性を有した照視野を放射線照射手段から照射することができ、撮像の目的に合わせて照視野の均一性を確保することができる。
【実施例】
【００１６】
以下、図面を参照してこの発明の実施例を説明する。
図１は、実施例に係るＸ線透視撮影装置のブロック図である。本実施例では放射線撮像装置としてＸ線透視撮影装置を例に採って説明する。
【００１７】
Ｘ線透視撮影装置は、図１に示すように、被検体Ｍを載置する天板１と、その被検体Ｍに向けてＸ線を照射するＸ線管２と、被検体Ｍを透過したＸ線を検出するフラットパネル型Ｘ線検出器（以下、「ＦＰＤ」と略記する）３とを備えている。なお、Ｘ線検出器としては、ＦＰＤ以外にもイメージインテンシファイアやＸ線フィルムでもよい。Ｘ線管２は、この発明における放射線照射手段に相当する。
【００１８】
Ｘ線透視撮影装置は、他に、天板１の昇降および水平移動を制御する天板制御部４や、ＦＰＤ３の走査を制御するＦＰＤ制御部５や、Ｘ線管２の管電圧や管電流を発生させる高電圧発生部６を有するＸ線管制御部７や、ＦＰＤ３から電荷信号であるＸ線検出信号をディジタル化して取り出すＡ／Ｄ変換器８や、Ａ／Ｄ変換器８から出力されたＸ線検出信号に基づいて種々の処理を行う画像処理部９や、これらの各構成部を統括するコントローラ１０や、処理された画像などを記憶するメモリ部１１や、オペレータが入力設定を行う入力部１２や、処理された画像などを表示するモニタ１３などを備えている。
【００１９】
天板制御部４は、天板１を水平移動させて被検体Ｍを撮像位置にまで収容したり、昇降、回転および水平移動させて被検体Ｍを所望の位置に設定したり、水平移動させながら撮像を行ったり、撮像終了後に水平移動させて撮像位置から退避させる制御などを行う。ＦＰＤ制御部５は、ＦＰＤ３を水平移動させたり、被検体Ｍの体軸の軸心周りに回転移動させることによる走査に関する制御などを行う。高電圧発生部６は、Ｘ線を照射させるための管電圧や管電流を発生してＸ線管２に与え、Ｘ線管制御部７は、Ｘ線管２を水平移動させたり、被検体Ｍの体軸の軸心周りに回転移動させることによる走査に関する制御や、Ｘ線管２側のコリメータ１６（図２、図４を参照）の照視野の設定の制御などを行う。なお、Ｘ線管２やＦＰＤ３の走査の際には、Ｘ線管２から照射されたＸ線をＦＰＤ３が検出できるようにＸ線管２およびＦＰＤ３が互いに対向しながらそれぞれの移動を行う。
【００２０】
本実施例では、Ｘ線管制御部７は、照視野の操作量ｄ（図４を参照）でコリメータ１６（図２、図４を参照）を操作することで照視野を制御する。したがって、Ｘ線管制御部７は、この発明における照視野制御手段に相当する。照視野の操作量はコリメータ１６の「開き量」とも呼ばれる。
【００２１】
コントローラ１０は、中央演算処理装置（ＣＰＵ）などで構成されており、メモリ部１１は、ＲＯＭ（Read-only Memory）やＲＡＭ（Random-Access Memory）などに代表される記憶媒体などで構成されている。また、入力部１２は、マウスやキーボードやジョイスティックやトラックボールやタッチパネルなどに代表されるポインティングデバイスで構成されている。Ｘ線透視撮影装置では、被検体Ｍを透過したＸ線をＦＰＤ３が検出して、検出されたＸ線に基づいて画像処理部９で画像処理を行うことで被検体Ｍの撮像を行う。
【００２２】
本実施例では、メモリ部１１には、Ｘ線強度分布（図４、図６を参照）として表される照視野内の位置とＸ線強度との相関関係を予め記憶した相関関係メモリ部１１ａを備えている。また、メモリ部１１のＲＯＭには、設定された照視野の均一性および上述した相関関係メモリ部１１ａに予め記憶された相関関係に基づいて、設定された均一性に該当するＸ線強度に応じた照視野内の位置に該当する照視野の操作量を演算するプログラムが予め記憶されており、そのプログラムをコントローラ１０が実行する。したがって、コントローラ１０は、この発明における操作量演算手段の機能を備えている。したがって、相関関係メモリ部１１ａは、この発明における相関関係記憶手段に相当する。また、入力部１２は、後述するタッチパネル１２ａ（図２、図３を参照）を備えており、設定された均一性を入力する。したがって、タッチパネル１２ａを含んだ入力部１２は、この発明における入力手段に相当する。
【００２３】
次に、撮像系について図２、図３を参照して説明する。図２は、Ｘ線透視撮影装置の撮像系の具体的構成を示す概略図であり、図３は、入力部の一例を示すタッチパネルの概略図である。
【００２４】
図２に示すように、上述したＸ線管２を天井から懸垂支持するための保持器１４を備えている。懸垂支持されたＸ線管２にはランプ１５を配設するとともに、照射側にはコリメータ１６を配設している。コリメータ１６は、Ｘ線管２から照射されるＸ線の照視野を操作する。ランプ１５から照射される光もコリメータ１６によって操作される。したがって、ランプ１５から照射される光によってＸ線の照視野をオペレータは視認することができる。なお、ランプ１５を必ずしも備える必要はない。また、Ｘ線管２は保持器１４によって懸垂支持されるタイプに限定されず、ＦＰＤ３とともに支持されるタイプや、回診用に合わせて運搬可能なタイプなどであってもよい。コリメータ１６は、この発明における照視野操作手段に相当する。
【００２５】
懸垂支持されたＸ線管２の側方には、タッチパネル１２ａを配設している。このタッチパネル１２ａには、図３に示すように例えば「30%」、「50%」、「80%」、「90%」というような均一性の設定画面を設けており、オペレータがこの画面に触れることで、触れられた画面に該当した均一性を入力設定する。例えば、「30%」に触れることで「30%」の均一性を入力設定する。同じように「50%」に触れることで「50%」の均一性を入力設定し、「80%」に触れることで「80%」の均一性を入力設定し、「90%」に触れることで「90%」の均一性を入力設定する。
【００２６】
次に、設定された均一性に基づく一連の照視野の制御について、図４〜図６を参照して説明する。図４（ａ）〜図４（ｃ）は、各々の照視野の操作量（開き量）ごとの照視野およびＸ線強度分布を示した模式図であり、図５は、Ｘ線強度分布として表される照視野内の位置とＸ線強度との相関関係を示したグラフであり、図６は、各々の照視野の操作量（開き量）ごとの図４とは別のＸ線強度分布を示した模式図である。図４では、Ｘ線強度が照視野の中心Ｏで非対称に分布したときのＸ線強度分布であって、図６では、Ｘ線強度が照視野の中心Ｏで対称に分布したときのＸ線強度分布である。
【００２７】
Ｘ線強度分布は照視野の均一性を表し、つまり照視野の均一の度合いを示す。従来の図８でも述べたように、図４や図６に示すように照視野の中心ＯでのＸ線強度を100%としたときに中心から離れるにしたがって強度は低くなって均一性が保てなくなる。Ｘ線強度分布は、照視野内の位置とＸ線強度との相関関係で表され、図５に示すような分布となる。なお、図５のグラフは、図４と同様にＸ線強度が照視野の中心Ｏで非対称に分布したときのＸ線強度分布である。Ｘ線管２またはＸ線透視撮影装置の出荷前の工場での段階で、かかる相関関係を予め求める。その後にＸ線管２またはＸ線透視撮影装置を出荷する。
【００２８】
照視野の操作量（開き量）ｄを最大にした状態で、被検体として水や銅板などのファントムを用いて撮影を行う。そして、照視野の位置に応じてＸ線強度を測定して、図５に示すような分布を測定する。なお、Ｘ線管２（図１、図２を参照）の種類（例えばターゲットアングルが互いに異なるＸ線管、アノードやカソードの構造や材料が異なるＸ線管など）が複数存在する場合には、各々の種類に応じてＸ線強度分布を測定する。なお、照視野の操作量ｄを必ずしも最大した状態でＸ線強度分布を測定する必要はないが、出荷後の実際の撮影時において、照視野の操作量ｄを最大にして撮影を行うことも考慮して、照視野の操作量ｄを最大にしてＸ線強度分布を測定するのが好ましい。このように測定されたＸ線強度分布を、照視野内の位置とＸ線強度との相関関係として、上述したように相関関係メモリ部１１ａ（図１を参照）に予め記憶した後に出荷する。また、ファントムを入れない状態で照視野の操作量（開き量）ｄを最大にした状態で撮影を行ってもよい。
【００２９】
Ｘ線強度が照視野の中心Ｏで非対称に分布したときについて説明する。操作量（開き量）ｄを最大にした状態を図４（ａ）に示す。このとき、カソードＣ側では50%を超えるが、アノードＡ側では30%未満になる。タッチパネル１２ａ（図２、図３を参照）から30%を入力設定した場合には、30%に該当するＸ線強度は、図４（ｂ）に示すとおりである。このＸ線強度に応じた照視野内の位置は、Ｘ線強度分布が図中の実線から二点鎖線に変化する部分である。この位置に該当する照視野の操作量ｄは、図４（ｂ）に示すとおりである。この位置がわかることで操作量ｄを演算することが可能になる。タッチパネル１２ａから90%を入力設定した場合には、90%に該当するＸ線強度は、図４（ｃ）に示すとおりである。このＸ線強度に応じた照視野内の位置は、Ｘ線強度分布が図中の実線から二点鎖線に変化する部分である。この位置に該当する照視野の操作量ｄは、図４（ｃ）に示すとおりである。
【００３０】
ここで、Ｘ線強度が照視野の中心Ｏで非対称に分布（本実施例ではアノードＡ側がカソードＣ側よりも強度が小さく分布）している関係で、逆方向も含めて、ある一方向では、その中心Ｏから設定すべきＸ線強度に相当する箇所までの距離は２つ存在するが、両者は互いに異なる距離となる。90%と入力設定した場合には、アノードＡ側では90%に該当する設定すべきＸ線強度は、図中の実線に示す部分であるので、中心Ｏから設定すべきＸ線強度に相当する箇所までの距離は実線に対応した部分までとなる。しかし、逆のカソードＣ側では90%に該当するＸ線強度は、図中の実線に示す部分のみならず二点鎖線の部分まで延びるので、中心ＯからＸ線強度に相当する箇所までの距離は実線および二点鎖線に対応した部分までとなり、距離が互いに異なる。したがって、複数存在する距離の中からもっとも短い距離を選択することで、その選択された距離におけるＸ線強度よりも小さいＸ線強度が設定されることはない。90%と入力設定した場合には、アノードＡ側の距離がもっとも短い距離となるので、その距離を選択することで、その選択された距離におけるＸ線強度は図４（ｂ）に示すようにカソードＣ側においても100%と90%を超えており、その選択された距離におけるＸ線強度よりも小さいＸ線強度が設定されることはない。
【００３１】
その距離を演算するとともに、演算されたその距離に該当する操作量ｄを演算するのが可能になる。このように操作量ｄを演算することで、設定された均一性に該当する設定すべきＸ線強度に基づいて、操作量ｄを演算することになる。
【００３２】
Ｘ線強度が照視野の中心Ｏで対称に分布したときには、操作量ｄを変えると、図６（ａ）〜図６（ｃ）に示すとおりとなる。Ｘ線強度が照視野の中心Ｏで対称に分布している関係で、逆方向も含めて、ある一方向では、その中心Ｏから設定すべきＸ線強度に相当する箇所までの距離は２つ存在するが、両者は互いに同じ距離となる。90%と入力設定した場合には、アノードＡ側では90%に該当する設定すべきＸ線強度は、図中の実線に示す部分であるので、中心Ｏから設定すべきＸ線強度に相当する箇所までの距離は実線に対応した部分までとなる。逆のカソードＣ側でも90%に該当する設定すべきＸ線強度は、図中の実線に示す部分であるので、中心Ｏから設定すべきＸ線強度に相当する箇所までの距離は実線に対応した部分となり、距離は同じである。
【００３３】
Ｘ線強度が照視野の中心Ｏで非対称に分布している場合と同様に、その距離を演算するとともに、演算されたその距離に該当する操作量ｄを演算するのが可能になる。このように操作量ｄを演算することで、設定された均一性に該当する設定すべきＸ線強度に基づいて、操作量ｄを演算することになる。
【００３４】
本実施例に係るＸ線透視撮影装置によれば、Ｘ線強度分布として表される照視野内の位置とＸ線強度との相関関係を相関関係メモリ部１１ａに予め記憶する。設定された照視野の均一性および上述の相関関係メモリ部１１ａに予め記憶された相関関係に基づいて、コントローラ１０は上述の設定された均一性に該当するＸ線強度に応じた照視野内の位置に該当する照視野の操作量ｄを演算する。そのコントローラ１０で演算された操作量ｄでＸ線管制御部７が操作することで照視野を制御する。その結果、目的の均一性を設定すれば、照視野の操作量ｄが演算され、さらにその操作量ｄでＸ線管制御部７が操作することで照視野を制御するので、目的の均一性を有した照視野をＸ線管２から照射することができる。したがって、撮像の目的に合わせて照視野の均一性を確保することができる。
【００３５】
この発明は、上記実施形態に限られることはなく、下記のように変形実施することができる。
【００３６】
（１）上述した実施例では、放射線撮像装置としてＸ線透視撮影装置を例に採って説明したが、ＰＥＴ(Positron Emission Tomography)装置やＳＰＥＣＴ（Single Photon Emission CT）装置などに代表されるＥＣＴ（Emission Computed Tomography）装置のように、Ｘ線以外の放射線（ＰＥＴ装置の場合にはγ線）を検出して、検出された放射線に基づいて放射線画像を得ることで放射線撮像を行う放射線撮像装置に適用してもよい。
【００３７】
（２）上述した実施例では、図１に示すようなＸ線透視撮影装置を例に採って説明したが、この発明は、例えばＣ型アームに配設されたＸ線撮像装置にも適用してもよい。また、この発明は、Ｘ線ＣＴ装置にも適用してもよい。
【００３８】
（３）上述した実施例では、図１に示すように被検体Ｍを水平姿勢にしてＸ線撮影を行ったが、被検体を立位姿勢にしてＸ線撮影を行ってもよいし、斜め方向にしてＸ線撮影を行ってもよい。
【００３９】
（４）上述した実施例では、設定された均一性を入力する入力手段としてタッチパネル１２ａを例に採って説明したが、タッチパネル１２ａ以外のマウスやキーボードやジョイスティックやトラックボールやタッチパネルなどに代表されるポインティングデバイスに適用してもよい。
【００４０】
（５）上述した実施例では、タッチパネル１２ａなどに代表される入力手段に均一性を入力設定したが、図７に示すように、装置の外部にある外部装置との間で転送するケーブル１７を備え、ケーブル１７から設定された均一性を転送してもよい。すなわち、設定された均一性のデータを外部装置からケーブル１７を介して装置に転送することで入力設定する。かかる構成は、例えば院内のネットワーク（装置、ケーブル１７、外部装置からなるネットワーク）から医者がオーダーした手技情報（設定された均一性のデータ）が送られるシステムの場合には有用であって、その情報に応じて均一性を自動的に設定することが可能である。ケーブル１７は、この発明における転送手段に相当する。なお、ケーブル１７以外にも、無線LAN(Local Area Network)などに例示されるように、通常において用いられる転送手段であれば、特に限定されない。
【図面の簡単な説明】
【００４１】
【図１】実施例に係るＸ線透視撮影装置のブロック図である。
【図２】Ｘ線透視撮影装置の撮像系の具体的構成を示す概略図である。
【図３】入力部の一例を示すタッチパネルの概略図である。
【図４】（ａ）〜（ｃ）は、各々の照視野の操作量（開き量）ごとの照視野およびＸ線強度分布を示した模式図である。
【図５】Ｘ線強度分布として表される照視野内の位置とＸ線強度との相関関係を示したグラフである。
【図６】各々の照視野の操作量（開き量）ごとの図４とは別のＸ線強度分布を示した模式図である。
【図７】変形例に係るＸ線透視撮影装置のブロック図である。
【図８】Ｘ線強度分布を示した模式図である。
【図９】管軸に対して垂直な方向を使用した場合の撮像形態を示した模式図である。
【図１０】ターゲットアングルを大きくしたＸ線管の構造を示す概略図である。
【図１１】（ａ）、（ｂ）は、焦点・フィルム間距離（ＦＦＤ）ごとの撮像形態を示した模式図である。
【符号の説明】
【００４２】
２  …  Ｘ線管
７  …  Ｘ線管制御部
１０  …  コントローラ
１１ａ  …  相関関係メモリ部
１２  …  入力部
１２ａ  …  タッチパネル
１６  …  コリメータ
ｄ  …  照視野の操作量（開き量）
Ｏ  …  照視野の中心
Ｍ  …  被検体
【図１】
2008104704.tif 000003
【図２】
2008104704.tif 000004
【図３】
2008104704.tif 000005
【図４】
2008104704.tif 000006
【図５】
2008104704.tif 000007
【図６】
2008104704.tif 000008
【図７】
2008104704.tif 000009
【図８】
2008104704.tif 000010
【図９】
2008104704.tif 000011
【図１０】
2008104704.tif 000012
【図１１】
2008104704.tif 000013